(57)【要約】【課題】従来の超音波美容器では、超音波発振プローブを腹巻等から取り外すことはできないので、他の目的に使用することはできず、又、仮に取り外せたとしても、超音波発振プローブは常に動作するように構成されているので、電力が無駄に消費されるという問題があった。【解決手段】美容器本体１に電源２、操作部３がコントローラ部４に接続され、又、コントローラ部４に複数の発振器５1、５2、・・・、５nが接続され、これらの発振器５1、５2、・・・、５nにそれぞれケーブル６を介して超音波発振プローブ７1、７2、・・・、７nが接続されており、又、超音波発振プローブ７の表面に超音波振動子を内蔵した金属ヘッド７ａが装着され、超音波発振プローブ裏面にマジックテープ（登録商標）８が接着されている。【選択図】        図１
2004195041.tif 000002
【特許請求の範囲】
【請求項１】
操作部が接続されたコントローラ部と該コントローラ部に複数の発振器を接続した美容器本体と、前記発振器にそれぞれ接続され、超音波振動子を内蔵した金属ヘッドを表面に突出させ、裏面にマジックテープ（登録商標）を固着した超音波発振プローブとからなり、前記操作部で前記発振器を個別に駆動し、前記超音波発振プローブを前記マジックテープ（登録商標）で装着可能にすることを特徴とする着脱可能な超音波美容器。
【請求項２】
１つ又は複数の前記超音波発振プローブをシート状バンドに着脱することを特徴とする請求項１記載の着脱可能な超音波美容器。
【請求項３】
１つの前記超音波発振プローブを把持部材に前記マジックテープ（登録商標）で着脱することを特徴とする請求項１記載の着脱可能な超音波美容器。
【発明の詳細な説明】
【０００１】
【発明が属する技術分野】
本発明は、超音波発振プローブを任意に着脱可能にして種々の美容目的に使用可能にする着脱可能な超音波美容器に関するものである。
【０００２】
【従来の技術】
一般に、超音波美容器としては、複数の超音波発振プローブを腹巻等に装着して、これら複数の超音波発振プローブに発振出力を一度に印加するか、順番に１つづつ印加するように構成されている。
【０００３】
【発明が解決しようとする課題】
しかしながら、このような超音波美容器では、超音波発振プローブを腹巻等から取り外すことはできないので、他の目的に使用することはできず、又、仮に取り外せたとしても、超音波発振プローブは常に動作するように構成されているので、電力が無駄に消費されるという問題があった。
【０００４】
【課題を解決しようとする手段】
本発明は、操作部が接続されたコントローラ部と該コントローラ部に複数の発振器を接続した美容器本体と、前記発振器にそれぞれ接続され、超音波振動子を内蔵した金属ヘッドを表面に突出させ、裏面にマジックテープ（登録商標）を固着した超音波発振プローブとからなり、前記操作部で前記発振器を個別に駆動し、前記超音波発振プローブを前記マジックテープ（登録商標）で装着可能にするものであり、又、１つ又は複数の前記超音波発振プローブをシート状バンドに着脱するものであり、さらに、１つの前記超音波発振プローブを把持部材に前記マジックテープ（登録商標）で着脱するものである。
【０００５】
【発明の実施の形態】
本発明では、１つ又は複数の超音波発振プローブをシート状バンドに着脱することにより、超音波発振プローブを身体の任意の位置に装着することができ、又、シート状バンドを足や手に巻いて足や腕の筋肉をもみほぐすことができ、さらに、１つの超音波発振プローブを把持部材にマジックテープ（登録商標）で装着することにより、１つの超音波発振プローブのみを駆動して顔のマッサージなどに使用することができる。
【０００６】
【実施例】
図１は本発明の実施例の着脱可能な超音波美容器の構成図、図２は図１の超音波発振プローブの斜視図、図３は超音波発振プローブ側面図で、美容器本体１に電源２、操作部３がコントローラ部４に接続され、又、コントローラ部４に複数の発振器５1、５2、・・・、５nが接続され、これらの発振器５1、５2、・・・、５nにそれぞれケーブル６を介して超音波発振プローブ７1、７2、・・・、７nが接続されており、又、超音波発振プローブ７は表面に超音波振動子を内蔵した金属ヘッド７ａが装着され、超音波発振プローブ７の裏面にマジックテープ（登録商標）８が接着されている。
【０００７】
このように構成した本実施例の着脱可能な超音波美容器では、図４に示すように、表面にマジックテープ（登録商標）が固着された布又はマジックテープ（登録商標）を一面に設けた腹巻９に美容器本体１にケーブル６を介して複数の超音波発振プローブ７1、７2、・・・、７nが付着されることにより、腹巻９を腰に巻いた時、超音波発振プローブ７1、７2、・・・、７nを腰又は腹の任意の位置に付着させて、操作部によって超音波発振プローブが接続された発振器を駆動することにより、その超音波発振プローブを駆動することができ、さらに、腹巻９に１つの超音波発振プローブ６を付着して、足や腕に巻くことにより、超音波振動で足や腕の筋肉をもみほぐすことができる。
【０００８】
さらに、図５に示すように、把持部材１０の一方の面に把持部１０ａに固着し、他方の面にマジックテープ（登録商標）１１を固着することにより、図６に示すように、１つの超音波発振プローブ７を把持部材１０に付着し、把持部材１０の把持部１０ａを持って超音波発振プローブ７の金属ヘッド７ｂを顔に押し当てて移動させることにより、顔のマッサージなどに使用することができる。
【０００９】
本実施例では、このように、腹巻９や把持部材１０に超音波発振プローブ７を付着する例を示したが、マジックテープ（登録商標）を固着した他のものに超音波発振プローブ７を装着して、美容器等に使用してもよい。
【００１０】
【発明の効果】
以上説明したように、本発明の着脱可能な超音波美容器では、超音波発振プローブ腹巻に着脱することにより、超音波発振プローブを身体の任意の位置に装着することができ、又、腹巻を足や手に巻いて足や腕の筋肉をもみほぐすことができ、さらに、１つの超音波発振プローブを把持部材にマジックテープ（登録商標）で装着することにより、１つの超音波発振プローブのみを駆動して顔のマッサージなどに使用することができるという利点がある。
【図面の簡単な説明】
【図１】本発明の実施例の着脱可能な超音波美容器の構成図である。
【図２】図１の超音波美容器の超音波発振プローブの斜視図である。
【図３】図２の超音波発振プローブの側面図である。
【図４】図２の超音波発振プローブを腹巻に装着した平面図である。
【図５】図１の超音波発振プローブを取り付ける把持部材の斜視図である。
【図６】図５の把持部材に超音波発振プローブを取り付けた側面図である。
【符号の説明】
１            美容器本体
２            電源
３            操作部
４            コントローラ部
５1〜５n      発振器
６            ケーブル
７1〜７n      超音波発振プローブ
８、１１      マジックテープ（登録商標）
９            シート状バンド
１０          把持部材
【図１】
2004195041.tif 000003
【図２】
2004195041.tif 000004
【図３】
2004195041.tif 000005
【図４】
2004195041.tif 000006
【図５】
2004195041.tif 000007
【図６】
2004195041.tif 000008